(57)【要約】【課題】  床面に排水口と、その周りに堤状の防水パンとを有する収納空間に、前開き型ドラム式洗濯機を容易に設置できる洗濯機用置き台を提供する。【解決手段】  ほぼ四角形にて所定の高さを有する枠本体と、前記枠本体内の上部に設けられた前開き型ドラム式洗濯機を載置する受け部３２とで構成された洗濯機用置き台２０の、枠板の背面部の下端部に切欠部３０を形成したので収納空間内に防水パンに引掛かることなく前開き型ドラム式洗濯機１を設置することができる。【選択図】  図１
2007097745.tif 000002
【特許請求の範囲】
【請求項１】
前開き型ドラム式洗濯機を載置する洗濯機用置き台であって、
前記洗濯機用置き台は、
所定の高さを有し、少なくとも下面を開放した矩形状の枠本体と、
前記枠本体の上部に設けられ洗濯機を載置する受け部とを備え、
かつ、前記枠本体の背面部の下端部に切欠部を形成したことを特徴とする洗濯機用置き
台。
【請求項２】
請求項１に記載の洗濯機用置き台において、
前記洗濯機用置き台は、
基材を組んで所定の高さを有するほぼ矩形状のフレームと、
このフレームの周りを囲う枠板とで構成され、
前記フレームの前面部を囲う枠板は、
前記フレームの前方から取り外し可能な構成であることを特徴とする洗濯機用置き台。
【発明の詳細な説明】
【技術分野】
【０００１】
本発明は前開き型ドラム式洗濯機を載置する洗濯機用置き台に関する。
【背景技術】
【０００２】
従来の洗濯機用置き台は、ほぼ四角形にて所定の高さを有するように構成した矩形上枠
本体の内側上部に、洗濯機を載置する受け部と、置き台自体の脚とを具え、枠本体の側面
部に、洗濯機の排水ホースを通すことが可能な孔部を形成することにより、受け部上に洗
濯機を載置することで、洗濯機の設置高さを増し、さらに家屋の排水口が置き台の内側に
ある場合であっても、排水ホースを前記孔部から置き台の内側に通すことより、排水口に
接続することができるようにしている。
【特許文献１】特開２００１−２１２３９８号公報（第４頁、図７参照）
【発明の開示】
【発明が解決しようとする課題】
【０００３】
近年、略水平軸を中心に洗濯槽が回転し、前面に扉が設けられた所謂前開き型ドラム式
洗濯機が提供されている。それに伴い、前開き型ドラム式洗濯機をビルトインで収納する
形式の住宅が増えている。さらにこの場合、ビルトインで前開き型ドラム式洗濯機を収納
する収納空間の中央床面に排水口等が設けられていて、その排水口の周りには、万一、水
漏れが起こった際に、水が周囲に溢れ出すことを防止する堤状の防水パンが排水口を囲む
ように設けられていることが多い。そしてこの防水パンは、一般的にドラム式洗濯機の設
置面積に比べて小さく、前開き型ドラム式洗濯機の下方に収まる程度の大きさである。
【０００４】
しかし、このようなビルトイン形式の収納空間に前開き型ドラム式洗濯機を前方からス
ライドさせて収納する場合には、通常前開き型ドラム式洗濯機は底部に設けた脚が短いた
め、前述の防水パンに引掛かってしまう。そのため前開き型ドラム式洗濯機を前記収納空
間内に収納するためには、前開き型ドラム式洗濯機を持ち上げて防水パンをまたがせて設
置しなくてはならず、設置がめんどうであるという問題があった。
【０００５】
また前述の前開き型ドラム式洗濯機の脚を防水パンの高さに比べて長くした場合には、
収納空間に防水パンに引掛かることなく、前方からスライドさせて収納することができる
が、設置後に、前方の脚の間から排水口に接続した排水ホースや、防水パンが見えてしま
い外観上良くない。  
そこで、設置後の前開き型ドラム式洗濯機の下部を前方から隠す目的とともに、使用者
が扉を開けやすいように前開き型ドラム式洗濯機の設置高さを増す目的で特許文献１記載
の洗濯機用置き台に載置して、収納することが検討されている。  
その場合、前述した防水パンが洗濯機用置き台の内部に位置されることになるが、それ
には、収納空間の外で前開き型ドラム式洗濯機を洗濯機用置き台の上に載置し、スライド
させて、収納空間に挿入する必要がある。
【０００６】
しかしながら、特許文献１記載の洗濯機用置き台をスライドさせて収納空間に挿入する
際にもやはり防水パンが洗濯機用置き台の側面、特には背面に引掛かってしまい、収納空
間内に前開き型ドラム式洗濯機を設置するためには、収納空間の限られた空間の中で洗濯
機とともに洗濯機用置き台を持ち上げて、防水パンをまたがせなくてはならず、使用者に
とって非常に作業しづらい状態にあった。  
したがって本発明は、上記問題を解決すべくなされたもので、その目的は、使用者が前
開き型ドラム式洗濯機をビルトインの収納空間に収納する際に防水パンに引掛からない洗
濯機用置き台を提供することにある。
【課題を解決するための手段】
【０００７】
上記目的を達成するために、本発明による洗濯機用置き台は、前開き型ドラム式洗濯機
を載置する洗濯機用置き台であって、前記洗濯機用置き台は、所定の高さを有し、少なく
とも下面を開放した矩形状の枠本体と、前記枠本体の上部に設けられ洗濯機を載置する受
け部とを備え、かつ、前記枠本体の背面部の下端部に切欠部を形成したことを主たる特徴
とする。
【発明の効果】
【０００８】
本発明によれば、枠本体の背面部の下端部に切欠部を設けたため、前開き型ドラム式洗
濯機を洗濯機用置き台上に載置した状態で、床面に防水パンを有する収納空間内に、防水
パンに引掛かることなく、前方からスライドさせて挿入することができるため、使用者は
簡単に前開き型ドラム式洗濯機を収納空間に設置することができる。
【発明を実施するための最良の形態】
【０００９】
＜第１の実施例＞
以下、本発明の第１の実施例について図１乃至図５を参照して説明する。  
まず図２は、前開き型ドラム式洗濯機１と、前開き型ドラム式洗濯機１を載置する洗濯
機用置き台２０の全体斜視図を示している。  
この前開き型ドラム式洗濯機１（以降、単にドラム式洗濯機と称す）は、外郭が矩形箱
状を成す外箱２で構成されており、その内部には、ドラム形状の水槽がサスペンションに
より防振支持して配設されており、その内部には洗濯物を収容するドラム形状の洗濯槽が
前後方向を軸として回転可能に設けられている。そして、水槽の底面背部には、モータが
設けられており、このモータにより洗濯槽を回転させて、洗濯槽に収納された洗濯物を洗
浄するように構成されている。  
そして、水槽の最底部には、排出口が設けられていて、排出口の先には導水ホース（図
示せず）が接続されていて、洗濯水を排出されるようになっている。
【００１０】
また外箱２の前面には洗濯槽に通じる円形状の洗濯物出入口１０が形成されており、こ
の洗濯物出入口１０には所謂前開き型として前後方向に開閉可能な扉１１が取り付けられ
ている。
【００１１】
また、外箱２の前面の上部には操作パネル１２が設けられており、この操作パネル１２
は、使用者がドラム式洗濯機１の運転に係る各種の操作をするためのもので、電源スイッ
チや、スタートスイッチ並びに各種選択スイッチなど、多数の操作スイッチが設けられて
いる。  
その他、外箱２の底部には台板１３が取り付けられており、この台板１３の底面の４隅
部には高さ調整可能な脚１４が配置されていて、ドラム式洗濯機１の高さ調節および水平
度調節ができるようになっている。  
さらにこの台板１３からは、前記水槽の排水口に接続された導水ホースの先端から延び
る排水ホース１５が導出されている。この場合排水ホース１５は、台板１３の底面に設け
られた開口に挿入され、もってその開口からドラム式洗濯機１外の真下に伸びるような構
成をしている。  
これら構成によるドラム式洗濯機１は、洗濯槽に洗濯物を収容し、水槽に洗濯水を貯水
して、モータにより洗濯槽を回転させることにより、洗濯物が洗浄されるものであって、
その洗浄した洗濯水は、排出口から導水ホース、排水ホース１５へ流れていく。
【００１２】
一方、これら構成のドラム式洗濯機１を載置する洗濯機用置き台２０（以降、単に置き
台と称す）は、主要部をなすその枠本体が図２に示すように全体が所定の高さ（例えば２
０ｃｍ）を有する四角形の矩形状に形成されており、それは基材で成るフレーム２１と、
フレーム２１の周りを囲う枠板４１とで構成されている。  
ここでこの置き台２０を分解斜視図である図１を参照して説明する。  
まず、フレーム２１は、基材としてすべて断面Ｌ字状のアングルが使用されており、縦
、横、前後方向に配置し、それぞれ溶接して全体として立方体に接続することにより構成
される。  
詳細には、前面部２１ａ、右側面部２１ｂ、左側面部２１ｃ、背面部２１ｄが上下２段
にアングル枠として配置されることにより構成され、上段アングル枠２４は、上アングル
２４ａ〜ｄのＬ字の折れ線が内側に向かうように配置されて、それぞれ両端部で溶接され
ることにより接続されている。
【００１３】
一方、下段アングル枠２５は、上段の４隅から下方に延びる縦アングル３６ｈ〜ｋによ
り前記上アングル２４ａ〜ｄと所定の間隔を有して配置されており、下アングル２５ａ〜
ｄにより、Ｌ字の折れ線が内側に向かうように配置されて構成されている。  
したがって、上段アングル２４と下段アングル２５との間には隙間が形成され、前面部
２１には使用者の手が挿入できる程度の隙間２１ａ１が形成される。
【００１４】
なお、前面部２１ａと背面部２１ｄの所定箇所４隅には枠板４１を取り付ける取付ねじ
孔２９が設けられていて、前面部２１ａの上アングル２４ａ、下アングル２５ａの両端部
には、前面取付ねじ孔２９ａが形成され、背面部２１ｄの上アングル２４ｄ、下アングル
２５ｄの両端部には、背面取付ねじ孔２９ｄがそれぞれ形成されている。
【００１５】
また背面部２１ｄにおいては、下アングル２５ｄは、所定の長さの下アングル２５ｄ１
と下アングル２５ｄ２とで構成されており、両方合わせても中央が乖離する形状をしてい
る。そしてそれぞれ下アングル２５ｄ１と下アングル２５ｄ２の中央側端には、上アング
ル２４ｄと縦方向に溶接で接続される開口アングル２６が設けられている。そしてこの開
口アングル２６には、開口アングル２６ａ、２６ｂを繋ぐ補強アングル２７が溶接して設
けられている。  
さらに開口アングル２６ａ、２６ｂには、補強アングル２７に向かって斜め方向に支持
アングル２８が配置されており、補強アングル２７を支持補強している。  
背面部２１ｄはこのようなアングルの配置構成をしていて、開口アングル２６ａ、２６
ｂの間と、補強アングル２７とに囲まれた空間をもって、背面部２１ｄの下端部に切欠部
３０が形成されている。なお、この切欠部３０は、補強アングル２７の下方にはアングル
が設けられておらず、後述する収納空間Ｎの防水パンＭの断面縦横寸法より大きい寸法で
形成されている。（例えば高さ１４ｃｍ、横３５ｃｍ）
また上段アングル枠２４には、４隅部の上面に三角形板状の上部受け部３２ｈ〜ｋ、が
溶接して設けられており、さらに下段アングル枠２５の４隅部の上面にも同様に、三角形
板状の下部受け部３３ｈ〜ｋ、が溶接して取り付けられている。  
そしてこれら下部受け部３３には中央にねじ孔３４が設けられていて、置き台脚３５が
、螺着されるように構成されている。  
この置き台脚３５は、下部受け部３３の下面方向からねじ孔３４に螺着することで配置
されており、高さ調節が可能な構成をしている。
【００１６】
一方、これら構成のフレーム２１の周りを囲う枠板４１は、前面枠板４１ａと、右側面
枠板４１ｂ、左側面枠板４１ｃとで構成されている。  
まず、右側面枠板４１ｂと左側面枠板４１ｃは同一形状の板面で形成されており、寸法
はフレーム２１の高さと略同じで、長さは同面のアングルの長さと略同じ（少し長い）で
ある。  
また上部に上アングル２４に引掛けるためのコ字形状の引掛け部４２が設けられている
。そして、板面の両端には、ねじ固定部４３が設けられていて、板面に対して垂直方向に
折り返されている。このねじ固定部４３には上下に２つのねじ挿入孔４３ａが前後方向に
設けられている。なお、板面には中央に排水ホース１５を挿通可能な大きさのホース挿入
口５０が設けられている。
【００１７】
そして、前面枠板４１ａも同様に、板面で形成されており、この板面の上部にも上アン
グル２４ａに引掛けるためのコ字形状の引掛け部４２ａが設けられている。なおこの前面
枠板４１ａの板面の両端は折り返されておらず、この両端には上下に前面ねじ孔４５が設
けられている。  
これら構成のフレーム２１に枠板４１が取り付けられ枠本体とすることにより、置き台
２０が形成される。
【００１８】
ここで、枠板４１のフレーム２１への取り付け方について説明する。  
まず、右側面枠板４１ｂを、フレーム２１の右側面部２１ｂに取り付ける。この場合、
右側面枠板４１ｂの引掛け部４２ｂを上アングル２４ｂに上方から引掛けることにより、
右側面枠板４１ｂのねじ固定部４３が前面部２１ａ、背面部２１ｄの一部を覆うように位
置されて取り付けられる。このとき板面中央に形成されたホース挿入口５０が、上アング
ル２４ｂと下アングル２５ｂとの間の隙間部分に位置される。そして同様に左側面部２１
ｃを、フレーム２１の左側面部２１ｃに取り付ける。  
次に、フレーム２１の背面部２１ｄの両端に位置されている右側面枠板４１ｂと左側面
枠板４１ｃの各ねじ固定部４３をねじで背面部２１ｄの背面取付ねじ孔２９ｄに螺着して
取り付ける。  
そして最後に、フレーム２１の前面部２１ａに、前面枠板４１ａを引掛け部４２を上ア
ングル２４ａに引掛けることで取り付ける。その際、置き台２０は、前方から前面枠板４
１ａ、ねじ固定部４３が重なり合う状態となり、この状態で前方からねじを前面ねじ孔４
５、ねじ挿入孔４３ａに挿入して、前面取付ねじ孔２９ａに螺着する。このようにして置
き台２０前面に前面枠板４１ａが取り付けられ、また逆の動作をすることにより、前面枠
板４１ａは、フレーム２１から取り外すことができる。
【００１９】
このように組み立てられた置き台２０は、前方、左右側面は、枠板に囲われ、背面は、
切欠部３０が露出する形状となる。
【００２０】
ここで、上記構成の置き台２０の作用およびこの置き台２０を使用したドラム式洗濯機
１の設置方法について図３〜図５を参照して説明する。  
図３は、ドラム式洗濯機１を載置した置き台２０を収納空間Ｎ内に収納する中途の状態
図である。  
図４は、置き台２０にドラム式洗濯機１を載置して収納空間Ｎに設置した状態図であ
る。図５は、図４の斜視図である。  
なお、ここでのドラム式洗濯機１の設置方法とは、前述したような、前開き型ドラム式
洗濯機１を収納空間Ｎに収納して使用するビルトイン式の住宅において、略中央床面に排
水口Ｌが設けられていて、その排水口Ｌを囲うように堤状の防水パンＭが設けられている
タイプの収納空間Ｎに、ドラム式洗濯機１を収納し、所定位置に設置する方法をいう。
【００２１】
まず、第１の設置方法を説明する。  
ドラム式洗濯機１をビルトインの収納空間Ｎに収納する折、まず収納空間Ｎの前方外で
、ドラム式洗濯機１の前方が置き台２０の前方側に向くように、ドラム式洗濯機１の脚１
４を４隅の上部受け部３２に載置する。この際、ドラム式洗濯機１の真下に伸びる排水ホ
ース１５は置き台２０の内部に収納されている。  
次にこの排水ホース１５を、置き台２０の後方から、切欠部３０を介して取り出す。取
り出した排水ホース１５の先端を収納空間Ｎの排水口Ｌに接続する。
【００２２】
そしてこの収納空間Ｎ外にあるドラム式洗濯機１と排水口Ｌとが排水ホース１５で接続
された状態で、ドラム式洗濯機１を置き台２０と共に収納空間Ｎ内へスライドさせて移動
させる。  
スライドさせていくと、切欠部３０が、収納空間Ｎ内にある防水パンＭと離間し、かつ
囲繞した状態で、引掛かることなく通過する（図３参照）。  
そして、収納空間Ｎの所定位置までドラム式洗濯機１および置き台２０をスライドする
と、ドラム式洗濯機１は、置き台２０により所定の高さを有し、真下に排水口Ｌおよび防
水パンＭがある状態（図４、および図５参照）で収納が完了する。
【００２３】
次に、第２の設置方法について説明する。  
まず置き台２０を前面枠板４１ａを取り付けていない状態（即ち、背面取付ねじ孔２９
ｄだけがねじ止めされている状態）で用意する。そしてドラム式洗濯機１の脚１４を置き
台２０の上部受け部３２に載置する。この際、排水ホース１５は置き台２０の内部に収納
されている。  
次にこのドラム式洗濯機１が置き台２０に載置されている状態で、ドラム式洗濯機１お
よび置き台２０を収納空間Ｎ内へスライド挿入させていく。この場合も第１の設置方法と
同様に、置き台２０の切欠部３０が収納空間Ｎの防水パンＭと離間し、かつ囲繞した状態
でスライドして通過することで、置き台２０が防水パンＭに引掛かることなく移動する。
そしてドラム式洗濯機１および置き台２０が所定の位置に移設されると、次に前面部２
１ａの上アングル２４ａと下アングル２５ａの間の隙間２１ａ１から置き台２０内部に手
を伸ばす。そして置き台２０内に収納されている排水ホース１５を手に取り、防水パンＭ
内部にある排水口Ｌに排水ホース１５先端を接続させる。  
そして最後に、収納空間Ｎの前方から、ねじを前面ねじ孔４５に挿入し、前面取付ねじ
孔２９ａを螺着することにより、前面枠板４１ａが前面部２１ａに取り付けられ、収納空
間Ｎへのドラム式洗濯機１の設置が完了する（図４、および図５参照）。
【００２４】
このように、第1に実施例の構成による洗濯機用置き台２０は、次のような効果を有す
る。  
置き台２０の背面部２１ｄの下端部にアングルで、切欠部３０を防水パンＭの縦横寸法
より大きく形成したため、中央に防水パンＭを有する収納空間Ｎにドラム式洗濯機１を設
置するにあたり、使用者は、収納空間Ｎの外で置き台２０にドラム式洗濯機１を載置して
、収納空間Ｎ内にスライド挿入する際に、防水パンＭをまたぐように持ち上げる必要がな
く、また防水パンＭに引掛かることなく、防水パンＭと離間し、かつ囲繞した状態でスラ
イドして通過させることができ、容易にドラム式洗濯機１を収納空間Ｎの所定の位置に設
置することができる。  
また切欠部３０は、支持アングル２８を設けているため、ドラム式洗濯機１の振動にも
耐えることができる。
【００２５】
また、置き台２０は、前面取付ねじ孔２９ａを前面部２１ａに形成して、前面枠板４１
ａを前方から取り外し可能に設けているため、ドラム式洗濯機１および置き台２０を収納
空間に設置した後であっても、前方から前面取付ねじ孔２９ａに螺着された前面枠板４１
ａを取り外し、前方から隙間２１ａ１を介して置き台２０内部に手を伸ばし、排水ホース
１５と排水口Ｌとを容易に着脱することができる。したがって、使用者や、サービスマン
にとって作業性が良い。
【００２６】
またドラム式洗濯機１の使用中であっても、前面枠板４１ａを前方から取りはずすこと
ができるため、防水パンＭや置き台２０内部の掃除や、点検をすることができ、使用者に
とって使い勝手が良い。
【００２７】
さらにねじ固定部４３を、前面部２１ａの面に折り返して設けたため、置き台２０の角
で隙間が開いてしまうことを回避することができ、前方からの見栄えが良い。
【００２８】
＜第２の実施例＞
次に、本発明の第２の実施例を図６、図７を参照して説明する。なお、上記第１の実施
例と同一部分には同一符号を付し、その詳細な説明は省略する。  
図６は、本発明の第２の実施例を示す図４相当図である。図７は、本実施例のジャッキ
機構５２を伸ばしたジャッキ持上状態を示す図である。なお、床は一部断面で記載してい
る。  
本実施例の置き台２０において、第１の実施例と異なるところは、置き台２０の内部構
造であって、内部にジャッキ機構５２が設けられている点である。
【００２９】
上段アングル枠２４の上面には、横方向に２本の補助板５１が設けられ、上アングル２
４ｃと上アングル２４ｂとの上面に溶接固定されている。  
そしてこの補助板５１の両端部下面には、二つのジャッキ機構５２が取り付けられてい
る（図６には右端のジャッキ機構５２のみ図示）。
【００３０】
このジャッキ機構５２について、図７を参照して説明する。  
このジャッキ機構５２は所謂パンタグラフジャッキであって、４つのアーム５３がそれ
ぞれ両端で回動可能に設けられており、この４つのアーム５３でひし形の形状をして構成
されている。  
このアーム５３はアーム５３ａ〜ｄで構成されており、アーム５３ａ、５３ｂがひし形
形状の上部に位置する支点受け部６０の両端に回動支持されており、同様にアーム５３ｃ
、５３ｄが、ひし形形状の下部に位置する支点台座部６１の両端に回動支持されている。
さらにアーム５３ａ、５３ｃが回動可能に支点具７０を介して接続されており、アーム５
３ｂ、５３ｄも回動可能に移動支点具７１を介して接続されている。
【００３１】
支点具７０には、連通孔７０ａが設けられていて、移動支点具７１には連通ねじ孔７１
ａが設けられており、これら連通孔７０ａと連通ねじ孔７１ａに、シャフト７５が挿通さ
れて設けられている。このシャフト７５は、支点具７０を挟むようにつば部７６が設けら
れていて、そのつば部７６から移動支点具７１方向は、表面がねじ切りされていて、連通
ねじ孔７１ａと相対移動可能に螺着されている。さらにシャフト７５の前方部には、ハン
ドル７７が設けられていて、シャフト７５を回転させることができるようになっている。
また支点受け部６０は板状の受け部６２の下面中央に設けられていて、この受け部６２
が補助板５１の下面に溶接して設けられている。  
そして支点台座部６１の下面には板状の台座部６３が設けられていて、この台座部６３
の底面は床と滑りやすい材質（例えばフェルト素材）で形成されるすべりシート６４が貼
られている。
【００３２】
このような構成のジャッキ機構５２の作用について説明する。  
このジャッキ機構５２は、通常補助板５１の下方に吊下がるように位置しており、台座
部６３は床に接していない。これを通常状態とする（図６の状態）。
【００３３】
置き台２０の前面枠板４１ａを取り外した状態で、上アングル２４ａ、下アングル２５
ａの間から手を置き台２０内部に挿入し、ハンドル７７を回転させる、するとハンドル７
７の回転と共に移動支点具７１が前方に移動する。これと共に、この移動支点具７１に回
動支持されているアーム５３ｂ、アーム５３ｄが同時に回動し、さらにつば部７６により
前後方向に位置決めされている支点具７０に回動支持されるアーム５３ａ、アーム５３ｃ
が同時に回動する。  
これらアーム５３の動作により、アーム５３で構成されるひし形形状が上下に伸びる形
状に変化し、もって台座部６３が、下方に徐々に下がっていく。  
そしてハンドル７７をさらに回転させていき、台座部６３の底面が置き台脚３５より下
方に位置したとき、置き台２０が補助板５１の両端に設けられた二つのジャッキ機構５２
により支えられる状態になる（図７の状態）（ジャッキ持上状態と称する）。
【００３４】
ここでこの置き台２０を使用したドラム式洗濯機１の設置方法について説明する。  
まず置き台２０を前面枠板４１ａを取り付けていない状態で用意する。そしてドラム式
洗濯機１の脚１４を置き台２０の受け部３２に載置する。この際、ジャッキ機構５２は通
常状態（縮んだ状態）で位置している。なお排水ホース１５は置き台２０の内部に収納さ
れている。  
次にそしてドラム式洗濯機１が置き台２０に載置されている状態で、使用者は上アング
ル２４ａと下アングル２５ａの隙間から、ジャッキ機構５２のハンドル７７を回転させ、
ジャッキ持上状態にすることにより、置き台脚３５が床面から離れ、ドラム式洗濯機１が
ジャッキ機構５２で支えられる状態となる。
【００３５】
そしてこのジャッキ機構５２の底面に設けられたすべりシート６４により置き台２０お
よびドラム式洗濯機１を滑らせて収納空間Ｎへスライドさせていく。  
この場合も第１の実施例の第１の設置方法と同様に、置き台２０の切欠部３０が防水パ
ンＭと離間し、かつ囲繞した状態でスライドして通過させることができ、置き台２０が防
水パンＭに引掛かることなく移設される。  
そしてドラム式洗濯機１および置き台２０が所定の位置に設置されると、次に前方の上
アングル２４ａと下アングル２５ａの間から手を置き台２０内部に差し入れ置き台２０内
に収納されている排水ホース１５を手に取り、防水パンＭ内部にある排水口Ｌに排水ホー
ス１５先端を接続させる。  
そして、使用者は上アングル２４ａと下アングル２５ａの隙間から、ジャッキ機構５２
のハンドル７７を回転させて、ジャッキ機構５２を通常状態に戻し、置き台脚３５がドラ
ム式洗濯機１を支えるようにする。  
最後に、収納空間Ｎの前方から、前面枠板４１ａを前面部２１ａの前面ねじ孔４５に螺
着して、置き台２０の前面に取り付けることにより、収納空間Ｎへのドラム式洗濯機１の
設置が完了する。
【００３６】
このように、第２に実施例の構成による置き台２０は、次のような効果を有する。  
ジャッキ機構５２を設け、ジャッキ機構５２の底面にすべりシート６４を設けたため、
ドラム式洗濯機１を収納空間Ｎに設置する際に、使用者は力を入れることなくスムーズに
スライド移動させることができる。  
なお、本実施例では、排水ホース１５がドラム式洗濯機１の真下に延出される構成のド
ラム式洗濯機１を使用例として示したが、排水ホース１５がドラム式洗濯機１の側面から
延出される構成のドラム式洗濯機１を収納空間Ｎに設置する場合は、その排水ホース１５
を置き台２０の側面に形成したホース挿入口５０に挿入して、挿入した後に置き台２０内
部に収納された排水ホース１５を排水口Ｌに接続すればよい。  
その他、本発明は上記実施例に限定されるものではなく、実施に際して本発明の要旨を
逸脱しない範囲で種々変更して実施できるものである。
【図面の簡単な説明】
【００３７】
【図１】洗濯機用置き台の分解斜視図。
【図２】前開き型ドラム式洗濯機１と、前開き型ドラム式洗濯機１を載置する洗濯機用置き台の全体斜視図。
【図３】収納空間にドラム式洗濯機が収納する中途の状態図である。
【図４】収納空間にドラム式洗濯機が設置された状態図である。
【図５】図４の斜視図。
【図６】本発明の第２の実施形態を示す図４相当図である。
【図７】ジャッキ機構を延ばしたジャッキ持上状態を示す図。
【符号の説明】
【００３８】
図面中、１は前開き型ドラム式洗濯機、２は外箱、１０は洗濯物出入口、１１は扉、１
２は操作パネル、１３は台板、１４は脚、１５は排水ホース、２０は洗濯機用置き台、２
１はフレーム、２１ａは前面部、２１ｂは右側面部、２１ｃは左側面部、２１ｄは背面部
、２４は上段アングル枠、２４ａは上アングル、２４ｂは上アングル、２４ｃは上アング
ル、２４ｄは上アングル、２５は下段アングル枠、２５ａは下アングル、２５ｂは下アン
グル、２５ｃは下アングル、２５ｄは下アングル、２５ｄ１は下アングル、２５ｄ２は下
アングル、２６は開口アングル、２６ａは開口アングル、２７は補強アングル、２８は支
持アングル、２９は取付ねじ孔、２９ａは前面取付ねじ孔、２９ｄは背面取付ねじ孔、３
０は切欠部、３２は上部受け部、３２ｈ、３２ｉ、３２ｊ、３２ｋは受け部、３３は下部
受け部、３３ｈ、３３ｉ、３３ｊ、３３ｋは受け部、３４はねじ孔、３５は置き台脚、３
６ｈ、３６ｉ、３６ｊ、３６ｋ縦アングルは３６、４１は枠板、４１ａは前面枠板、４１
ｂは右側面枠板、４１ｃは左側面枠板、４２は引掛け部、４２ａは引掛け部、４２ｂは引
掛け部、４２ｃは引掛け部、４３はねじ固定部、４３ａはねじ挿入孔、４５は前面ねじ孔
、５０はホース挿入口、５１は補助板、５２はジャッキ機構、５３はアーム、５３ａはア
ーム、５３ｂはアーム、５３ｃはアーム、５３ｄはアーム、６０は支点受け部、６１は支
点台座部、６２は受け部、６３は台座部、６４はすべりシート、７０は支点具、７０ａは
連通孔、７１は移動支点具、７１ａは連通ねじ孔、７５はシャフト、７６はつば部、７７
はハンドルである。
【図１】
2007097745.tif 000003
【図２】
2007097745.tif 000004
【図３】
2007097745.tif 000005
【図４】
2007097745.tif 000006
【図５】
2007097745.tif 000007
【図６】
2007097745.tif 000008
【図７】
2007097745.tif 000009